(57)【要約】【課題】日除けとしてだけではなく雨除けとしても機能する屋外装置用日除け装置を提供する。【解決手段】屋外装置の外部に取り付けられる屋外装置用日除け装置１０は、屋外装置１を覆う大きさの日除け板２を有し、日除け板２の表側に、日除け板２に対して傾斜した切り起こし部２ｂが設けられ、日除け板２の裏側に、切り起こし部２ｂによって形成されたスリット状の開口部Ａを覆い、少なくとも一端が屋外装置１の外部にまで延在し、この一端が下方に傾斜している雨どい部２ｃが設けられている。【選択図】図１
2012251366.tif 000002
【特許請求の範囲】
【請求項１】
屋外装置の外部に取り付けられる屋外装置用日除け装置であって、
前記屋外装置を覆う大きさの日除け板を有し、
前記日除け板の表側に、前記日除け板に対して傾斜した切り起こし部が設けられ、
前記日除け板の裏側に、前記切り起こし部によって形成されたスリット状の開口部を覆い、少なくとも一端が前記屋外装置の外部にまで延在し、前記一端が下方に傾斜している雨どい部が設けられている、
ことを特徴とする屋外装置用日除け装置。
【請求項２】
前記切り起こし部が、前記開口部を挟んで対向するとともに、互いに反対方向に傾斜する第１切り起こし部および第２切り起こし部から構成されていることを特徴とする請求項１に記載の屋外装置用日除け装置。
【請求項３】
前記雨どい部は、その両端が前記屋外装置の外部にまで延在し、一端から他端に向かって傾斜していることを特徴とする請求項１または２に記載の屋外装置用日除け装置。
【発明の詳細な説明】
【技術分野】
【０００１】
本発明は、発熱源を有する屋外装置に取り付けられ、日除けとしてだけではなく雨除けとしても機能する屋外装置用日除け装置に関するものである。
【背景技術】
【０００２】
従来の屋外に配置される屋外装置（例えば、基地局装置）に日除けとして取り付けられる装置としては、例えば、図６に示すようなものがある。図６（ａ）は、従来の屋外装置用日除け装置の側面図であり、図６（ｂ）は、図６（ａ）の一部拡大端面図である。図６に示す屋外装置用日除け装置は、基地局装置１の上面に取り付けられた日除け板３を有する。この日除け板３には、日除けのための多数のフィン３ｂが互いに平行に設けられ、フィン３ｂの下側に、空気の出入りを促すためのスリット状の開口部Ａが設けられている。このように、日除け板３をよろい戸構造とすることにより、フィン３ｂが日射をさえぎるとともに、開口部Ａが、放熱の大きいデバイスが内部に配置された基地局装置１からの放熱を促進することができる。
【０００３】
また、特許文献１には、よろい戸構造の日除け板を基地局装置の上面だけでなく、基地局装置の周囲を覆うように側面にも設けた、箱型の屋外装置用日除け装置が提案されている。このように、屋外装置用日除け装置は、日射等に起因して基地局装置の温度が上昇し、その寿命が短縮し、その性能が劣化することを防止していた。
【先行技術文献】
【特許文献】
【０００４】
【特許文献１】特開２００６−２５７８０７号公報
【発明の概要】
【発明が解決しようとする課題】
【０００５】
しかしながら、従来の屋外装置用日除け装置は、日除けとしては機能するものの、雨除けとしては機能していなかった。すなわち、図６（ｂ）に示すように、雨水は開口部Ａを通過して基地局装置１に直接当たってしまっていた。雨水が基地局装置１に当たると、基地局装置１の温度が急激に低下し、基地局装置１のデバイスの特性値が変化し、性能が劣化するおそれがある。それゆえ、日除けだけでなく雨除けとしても機能する屋外装置用日除け装置が必要であるが、従来は、雨除けを考慮して設計された屋外装置用日除けは提案されていなかった。
【０００６】
本発明は、このような問題点に鑑みてなされたものであり、本発明の目的は、日除けとしてだけではなく雨除けとしても機能する屋外装置用日除け装置を提供することにある。
【課題を解決するための手段】
【０００７】
上記目的を達成する第１の観点に係る屋外装置用日除け装置の発明は、
屋外装置の外部に取り付けられる屋外装置用日除け装置であって、
前記屋外装置を覆う大きさの日除け板を有し、
前記日除け板の表側に、前記日除け板に対して傾斜した切り起こし部が設けられ、
前記日除け板の裏側に、前記切り起こし部によって形成されたスリット状の開口部を覆い、少なくとも一端が前記屋外装置の外部にまで延在し、前記一端が下方に傾斜している雨どい部が設けられている、
ことを特徴とするものである。
【０００８】
第２の観点に係る屋外装置用日除け装置の発明は、第１の観点に係る屋外装置用日除け装置において、
前記切り起こし部が、前記開口部を挟んで対向するとともに、互いに反対方向に傾斜する第１切り起こし部および第２切り起こし部から構成されていることを特徴とするものである。
【０００９】
第３の観点に係る屋外装置用日除け装置の発明は、第１または第２の観点に係る屋外装置用日除け装置において、
前記雨どい部は、その両端が前記屋外装置の外部にまで延在し、一端から他端に向かって傾斜していることを特徴とするものである。
【発明の効果】
【００１０】
本発明によれば、日射による温度上昇および雨水による温度低下に起因する性能劣化を防止した屋外装置用日除け装置を提供することができる。
【図面の簡単な説明】
【００１１】
【図１】本発明の第１実施形態に係る屋外装置用日除け装置を示す斜視図である。
【図２】図１のＡ−Ａ端面図である。
【図３】図１のＢ−Ｂ断面図である。
【図４】本発明の第２実施形態に係る屋外装置用日除け装置を示す斜視図である。
【図５】図４のＣ−Ｃ端面図である。
【図６】従来の屋外装置用日除け装置を示す図である。
【発明を実施するための形態】
【００１２】
以下、本発明に係る屋外装置用日除け装置の実施形態について、図面を参照して説明する。
【００１３】
図１は、本発明の第１実施形態に係る屋外装置用日除け装置１０が基地局装置１に取り付けられた状態を示す斜視図であり、図２は、図１のＡ−Ａ端面図であり、図３は、図１のＢ−Ｂ断面図である。屋外装置用日除け装置１０は、日除け板２と、この日除け板２を基地局装置１の上面に取り付ける脚４と、を有する。基地局装置１は、典型的には直方体であり、図１に示すように、面積の大きい２つの面が上下となるように設置するか（平置き設置）、または面積の大きい２つの面が前後となるように設置する（縦置き設置）ことが一般的である。基地局装置１は、設置面Ｇに対して固定されている。
【００１４】
日除け板２は、基地局装置１の上面を覆うように、この上面より大きい長方形（Ｘ方向の長辺とＹ方向の短辺を有する）の平板である。日除け板２の表側に、平坦部２ａからＺ方向に曲げられ、日除け板２に対して傾斜した切り起こし部（フィン）２ｂが設けられている。切り起こし部２ｂは、Ｘ方向の短辺とＹ方向の長辺を有する長方形であり、Ｘ方向に平行に複数設けられている。日除け板２の裏側に、切り起こし部２ｂによって形成されたスリット状の開口部Ａを覆う半円筒状の雨どい部２ｃが設けられている。図２に示すように、雨どい部２ｃの内径Ｗ２ｃは、少なくとも、開口部Ａのうち切り起こし部２ｂによって覆われていない部分の幅ＷＢ以上であり、好ましくは開口部Ａの幅ＷＡ以上である。また、雨どい部２ｃは、図３に示すように、両端２ｃｅ１、２ｃｅ２が基地局装置１の外部にまで延在している。さらに、雨どい部２ｃは、一端２ｃｅ１から他端２ｃｅ２に向かって下方に傾斜している。
【００１５】
第１実施形態に係る屋外装置用日除け装置１０は、平坦部２ａおよび切り起こし部２ｂにより日射がさえぎられるとともに、開口部Ａにより放熱が行われるため、晴天時に日除けとして機能することができる。さらに、図２に示すように、開口部Ａを通過する雨水Ｒ１は、基地局装置１の上面に当たることなく、雨どい部２ｃに当たり、傾斜して、基地局装置１の外側まで延在している雨どい部２ｃを伝って基地局装置１の外側に運ばれる。平坦部２ａおよび切り起こし部２ｂに当たる雨水Ｒ２およびＲ３は、雨どい部２ｃに流れ込む雨水Ｒ４となり、同様に、雨どい部２ｃを伝って、基地局装置１の外側に運ばれる。また、ＷＢ≦Ｗ２ｃとすることにより垂直方向に降る雨水を雨どい部２ｃによって受け止めることができ、さらに、ＷＡ≦Ｗ２ｃとすることにより斜め方向に降る雨水も雨どい部２ｃによって受け止めることができる。このように、第１実施形態の屋外装置用日除け装置１０では、雨どい部２ｃを設けることにより、降雨時に雨除けとして機能することができる。
【００１６】
図４は、本発明の第２実施形態に係る屋外装置用日除け装置２０が基地局装置１に取り付けられた状態を示す斜視図であり、図５は、図４のＣ−Ｃ端面図である。第２実施形態において、第１実施形態と同一の構成要素には同一の符号を付してその説明を省略する。第２実施形態では、屋外装置用日除け装置２０は、基地局装置１の上面および側面に取り付けられている。日除け板２の表側に、平坦部２ａからＺ方向に曲げられ、開口部Ａを挟んで対向し、Ｚ方向に対する傾斜角度が反対の第１切り起こし部２ｂ１および第２切り起こし部２ｂ２が設けられている。日除け板２の裏側に、第１切り起こし部２ｂ１および第２切り起こし部２ｂ２によって形成されたスリット状の開口部Ａを覆う雨どい部２ｃが設けられている。図５に示すように、雨どい部２ｃの内径Ｗ２ｃは、少なくとも、第１切り起こし部２ｂ１と第２切り起こし部２ｂ２との間の幅ＷＣ以上であり、好ましくは開口部Ａの幅ＷＡ以上である。
【００１７】
第２実施形態に係る屋外装置用日除け装置２０は、互いに反対方向に傾斜する第１切り起こし部２ｂ１および第２切り起こし部２ｂ２を設けることにより、図５に示すように、Ｐ方向およびＱ方向の日差しがさえぎられるとともに、開口部Ａにより放熱が行われるため、晴天時に日除けとして機能することができる。さらに、開口部Ａを通過する雨水Ｒ１は、基地局装置１の上面に当たることなく、雨どい部２ｃに当たり、傾斜して、基地局装置１の外側まで延在している雨どい部２ｃを伝って基地局装置１の外側に運ばれる。また、平坦部２ａ、第１切り起こし部２ｂ１および第２切り起こし部２ｂ２に当たる雨水Ｒ２、Ｒ３は、平坦部２ａを伝って、基地局装置１の外側に運ばれるので基地局装置１の上面に当たることはない。このように、第２実施形態の屋外装置用日除け装置２０では、雨どい部２ｃを設けることにより、降雨時に雨除けとして機能することができる。さらにまた、屋外装置用日除け装置２０は、基地局装置１の上面および側面に取り付けられているので、平置き設置の場合だけでなく縦置き設置の場合にも日除けおよび雨除けとしても機能することができる。
【００１８】
本発明は、上述した実施形態に制限されることはなく、各種変更が可能である。例えば、雨どい部２ｃは、一端２ｃｅ１から他端２ｃｅ２に向かって下方に傾斜している例を示したが、雨どい部２ｃの中央が高く両端２ｃｅ１、２ｃｅ２に向かって下方に傾斜していてもよい。また、雨どい部２ｃは、両端２ｃｅ１、２ｃｅ２が基地局装置１の外部にまで延在している例を示したが、雨どい部２ｃが開口部Ａを覆う大きさであれば、一端２ｃｅ１および他端２ｃｅ２の少なくともいずれか一方が基地局装置１の外部にまで延在していればよい。雨どい部２ｃは、半円状の断面形状を有する例を示したが、四角や三角等の他の断面形状を有することもできる。平坦部２ａは、水平方向に延在している例を示したが、例えば、第１実施形態において、雨どい部２ｃに向かって下方に傾斜することもできる。この場合、平坦部２ａおよび切り起こし部２ｂに当たる雨水Ｒ２およびＲ３は、雨どい部２ｃに流れ込みやすくなる。また、平坦部２ａは、第２実施形態において、Ｙ方向の一端から他端に向かって下方に傾斜することもできる。平坦部２ａを傾斜させることにより、雨水は平坦部２ａに溜まることなく、確実に、基地局装置１の外側に運ばれる。切り起こし部２ｂは、Ｙ方向に連続した長尺状の例を示したが、Ｙ方向に分割した複数の切り起こし部２ｂを設けることもできる。切り起こし部２ｂは、日除け板２からの切り起こしにより形成される例を示したが、日除け板２とは別部材を日除け板２に接続することにより切り起こし部２ｂを形成することもできる。
【符号の説明】
【００１９】
１      基地局装置
２      日除け板
２ａ    平坦部
２ｂ    切り起こし部
２ｂ１  第１切り起こし部
２ｂ２  第２切り起こし部
２ｃ    雨どい部
３      日除け板
３ｂ    フィン
４      脚
１０    屋外装置用日除け装置
２０    屋外装置用日除け装置
Ｇ      設置面
【図１】
2012251366.tif 000003
【図２】
2012251366.tif 000004
【図３】
2012251366.tif 000005
【図４】
2012251366.tif 000006
【図５】
2012251366.tif 000007
【図６】
2012251366.tif 000008